(57)【要約】  携帯電子機器用のケースであって、外面および電子機器に面する内面を有するケース本体と、ケース本体の内面に位置し、電子機器とケース本体との間に空間を生み出す少なくとも１つのセパレータとを有するケース。
2020515203.tif 000002
【特許請求の範囲】
【請求項１】
携帯電子機器用のケースであって、
外面および前記電子機器に面する内面を有するケース本体と、
前記ケース本体の前記内面に位置し、前記電子機器と前記ケース本体との間に空間を生み出す少なくとも１つのセパレータと
を備えるケース。
【請求項２】
前記ケース本体は、プラスチックで作られている、
請求項１に記載のケース。
【請求項３】
前記少なくとも１つのセパレータは、ウォーターマークの影響を防止するための少なくとも１つのリブ状部分である、
請求項１に記載のケース。
【請求項４】
前記リブ状部分は、前記ケース本体の前記内面の周囲の実質的に連続的なリブである、
請求項３に記載のケース。
【請求項５】
前記少なくとも１つのセパレータは、前記ケースの少なくともカメラレンズおよびフラッシュの穴を取り囲む少なくとも１つのリブ状部分をさらに含む、
請求項４に記載のケース。
【請求項６】
前記少なくとも１つのリブ状部分は、前記ケース本体の内面の周囲の一連のリブである、
請求項３に記載のケース。
【請求項７】
前記少なくとも１つのリブ状部分は、前記ケースの少なくともカメラレンズおよびフラッシュの穴を取り囲む少なくとも第２のリブ状部分をさらに含む、
請求項６に記載のケース。
【請求項８】
前記リブ状部分は、前記ケースの一体の一部分として形成されている、
請求項１に記載のケース。
【請求項９】
前記リブ状部分は、異なる材料である、
請求項１に記載のケース。
【請求項１０】
前記セパレータは、０．１５ｍｍ〜０．３５ｍｍの間の高さである、
請求項１に記載のケース。
【請求項１１】
携帯電子機器用のケースであって、
外面および前記電子機器に面する内面を有するケース本体と、
前記ケース本体の前記内面に位置し、前記電子機器と前記ケース本体との間に空間を生み出す少なくとも１つのセパレータと
を備え、
前記少なくとも１つのセパレータは、少なくとも１つのマイクロドットであるケース。
【請求項１２】
前記ケース本体は、プラスチックで作られている、
請求項１１に記載のケース。
【請求項１３】
前記少なくとも１つのマイクロドットは、前記ケース本体の前記内面のかなりの部分を覆ってウォーターマークの影響を防止する多数のマイクロドットである、
請求項１１に記載のケース。
【請求項１４】
前記少なくとも１つのセパレータは、前記ケースの少なくともカメラレンズおよびフラッシュの穴を取り囲む少なくとも１つのリブ状部分をさらに含む、
請求項１３に記載のケース。
【請求項１５】
前記少なくとも１つのマイクロドットは、前記ケースの一体の一部分として形成されている、
請求項１１に記載のケース。
【請求項１６】
前記少なくとも１つのマイクロドットは、異なる材料である、
請求項１１に記載のケース。
【請求項１７】
前記セパレータは、２μ〜５μの間である、
請求項１１に記載のケース。
【請求項１８】
携帯電子機器用のケースであって、
外面および前記電子機器に面する内面を有するケース本体と、
前記ケース本体の前記内面に位置し、前記電子機器と前記ケース本体との間に空間を生み出す少なくとも１つのセパレータと
を備え、
前記少なくとも１つのセパレータは、少なくとも１つのマイクロドットであり、
前記少なくとも１つのマイクロドットは、最小限であるケース。
【請求項１９】
前記ケース本体は、プラスチックで作られている、
請求項１８に記載のケース。
【請求項２０】
前記少なくとも１つのマイクロドットは、ウォーターマークの影響を防止するために前記ケース本体の前記内面上にパターンを形成する、
請求項１８に記載のケース。
【請求項２１】
前記少なくとも１つのセパレータは、前記ケースの少なくともカメラレンズおよびフラッシュの穴を取り囲む少なくとも１つのリブ状部分をさらに含む、
請求項２０に記載のケース。
【請求項２２】
前記少なくとも１つのマイクロドットは、前記ケースの一体の一部分として形成されている、
請求項１８に記載のケース。
【請求項２３】
前記少なくとも１つのマイクロドットは、異なる材料である、
請求項１８に記載のケース。
【請求項２４】
前記セパレータは、２μ〜５μの間である、
請求項１８に記載のケース。
【発明の詳細な説明】
【背景技術】
【０００１】
現時点において、携帯電話機、タブレット、ファブレット、カメラ、ラップトップコンピュータ、音楽プレーヤ、ならびに現時点において存在し、あるいは将来において発明される多数の他のデバイスなど、我々の生活を喜びおよび楽しみで満たし、仕事、創造、管理、およびこれらの間のあらゆる事柄に使用されるきわめて多くの電子携帯機器が存在する。これらの機器は、きわめてさまざまな色、形状、およびサイズにて提供され、設計者および製造者は、これまでの消費者および新たな消費者を惹きつけて維持するために、これまでにない魅力的な何かを常に探している。これらの製造者および設計者にとって、これまでにない何かを提供する１つのやり方は、機器に使用される外側を覆う材料にある。近年においては、光沢のあるつやつやした外観をもたらす光り輝く表面への動きが存在している。これは、きわめて魅力的な外観であるが、新たな一連の問題をもたらす。第一に、この材料は、ひっかき傷および擦り傷がつきやすい傾向にある。さらに、この材料は、指紋および汚れが目につきやすい傾向にある。消費者およびユーザは、自身の機器を新品のような見た目に保つことを好み、したがってケースまたはカバーを適用して機器の外面の材料を保護することを望むが、依然として光沢のある仕上げを誇示したいと考える。このように、この材料およびこの材料に関連して生じる問題ゆえに、このクリアで光沢のある機器の表面を保護しつつ、この光沢のあるきわめてつやつやした表面を依然として誇示することができるカバー、コーティング、またはケースが、必要とされている。
【発明の概要】
【発明が解決しようとする課題】
【０００２】
存在する主な課題は、機器をぴったりと覆って保護することができる透明ケースを生み出すことである。プラスチック材料およびガラスなど、保護用透明ケースとして使用することができる多数の透明材料が存在する。そのようなケースを製造するための最も一般的な材料は、ポリカーボネートまたはアクリルなどの透明なプラスチック材料である。しかしながら、これらの材料における問題は、光沢のあるクリアな表面を持つ機器のケースとして使用されたときに、或る種のウォーターマーク（ケースと機器の接触面に現れる水のような模様）が現れることである。すなわち、光沢のあるつやつやした機器の表面がポリカーボネートまたはアクリルケースの内側のクリアな光沢のある表面に接触すると、２つの硬質表面材料が接触し、このすき間のないプラスチック同士の接触が、望ましくないつやのある濡れた見た目、すなわちウォーターマークを発生させる。これは、使用される機器の種類に関係なく発生する。すなわち、携帯電話機、タブレット、コンピュータ、または他のあらゆる種類のポータブル携帯機器において発生し得る。機器が光沢仕上げである限り、ウォーターマークが視認できるようになる。
【課題を解決するための手段】
【０００３】
本発明は、透明な保護用ケースが電子機器の光沢のあるクリアな表面を覆って使用される場合に生じる上述のウォーターマークの問題を解決する。より具体的には、本発明は、機器の光沢のある表面とケースの取り付け面との間にわずかな空間、または最小限の分離を生じさせる透明な保護用ケースを提供し、最小限の分離がウォーターマークの影響を排除する。
【図面の簡単な説明】
【０００４】
【図１】本発明のケースの第１の実施形態の斜視図であり、ケースの周囲ならびにカメラレンズおよびフラッシュの開口部の周囲に切れ目のないリッジを使用している。
【図２】ケースの周囲ならびにカメラレンズおよびフラッシュの開口部の周囲に切れ目のないリッジを使用している本発明のケースの第１の実施形態のケースの内側の平面図である。
【図３】本発明のケースの第２の実施形態の斜視図であり、ケースの周囲ならびにカメラレンズおよびフラッシュの開口部の周囲に点線のリッジを使用している。
【図４】ケースの周囲ならびにカメラレンズおよびフラッシュの開口部の周囲に点線のリッジを使用している本発明の第２の実施形態のケースの内側の図である。
【図５】本発明のケースの第１の端部の斜視図である。
【図６】本発明のケースの第２の端部の斜視図である。
【図７】カメラ穴およびフラッシュ開口部ならびに角部のリッジを示すケースの第１の端部の斜視図である。
【図８】ケースの第２の端部の斜視図である。
【図９】マイクロドット構成を有する本発明のケースの第３の実施形態の斜視図である。
【図１０】マイクロドット構成を有するケースの内側の第３の実施形態の立面図である。
【図１１】第３の実施形態のマイクロドット構成のケースの第１の端部の斜視図である。
【図１２】第３の実施形態のマイクロドット構成のケースの第２の端部の斜視図である。
【図１３】マイクロドット構成を使用する第３の実施形態のケースの第１の端部の一部分の斜視図である。
【図１４】マイクロドット構成を使用する第３の実施形態のケースの一部分の斜視図である。
【図１５】変更版のマイクロドット構成を使用する第４の実施形態の第２の端部のケースの斜視図である。
【図１６】変更版のマイクロドット構成を使用する第４の実施形態のケースの立面図である。
【図１７】変更版のマイクロドット構成を使用する第４の実施形態の第１の端部の斜視図である。
【図１８】変更版のマイクロドット構成を使用する第４の実施形態の第２の端部の斜視図である。
【図１９】変更版のマイクロドット構成を使用する第４の実施形態の第１の端部の斜視図である。
【図２０】変更版のマイクロドット構成を使用する第４の実施形態の第２の端部の斜視図である。
【発明を実施するための形態】
【０００５】
上述の問題に対処するために、本発明が生み出された。このウォーターマークを防止するためのこれまでに発見された最良の解決策は、機器とケースとの間に最小限の分離を生じさせることである。解決すべき問題は、これを過大なすき間を生じさせることなく行う方法、ならびにこの空間への汚れおよびほこりの進入を防止する方法である。
【０００６】
本発明は、携帯電子機器用のケース１０を提供し、ケース１０は、典型的にはプラスチックである実質的に硬質な材料で主として製作され、外面１４および電子機器に面する内面１２を有している堅固なケース本体と、電子機器の制御部に一致して並ぶように構成された少なくとも１つのアクセス穴１６と、ケース本体の内面１２に位置し、電子機器とケース本体の内面１２との間に空間を生み出す少なくとも１つのセパレータとを有する。
【０００７】
図１〜図２０が、本発明の好ましい実施形態を示している。セパレータがケース１０の周囲１８を巡って内面１２に形成されたリッジ２０またはリブである第１の実施形態について、図１は斜視図であり、図２は平面図である。この実施形態において、セパレータリッジ２０は、内面１２において、ケースの内縁を包む角部の付近のケースの外縁または周囲１８に沿って形成され、ケース１０の内面１２の周囲１８の全体を巡る隆起したリブを生じる。周囲のリブまたはリッジ２０は、好ましくは、機器の表面にくっつき、あるいは機器の表面と同じ材料から形成され、リッジの高さゆえに、ケース１０の内面１２と対向する機器の表面との間に最小限の空間が生まれる。一周し、あるいは周囲を取り囲むリブの形態のセパレータの最小高さは、おおむね０．１５μ〜０．３５μの間であってよい。このようにして、リッジ２０は、ケース１０の周囲１８の全体を取り囲み、機器とケース１０との間に今や形成された空間への汚れおよびほこりの進入を防止する密閉リッジを形成する。さらに、この実施形態においては、ケースのカメラレンズ／フラッシュ開口部の周囲に位置する別のセパレータまたは第２のセパレータが、カメラまたはカメラレンズならびに／あるいはフラッシュ穴の周囲を巡って形成される。この第２のセパレータ２２は、ケース１０のカメラレンズ／フラッシュ開口部の周囲全体を取り囲み、汚れおよびほこりの進入を防止する密閉リッジを形成する。所望に応じ、さらなる１つ以上のセパレータをケースの任意の他の内面部分に形成して、ケースと機器との間の空間を閉じ、セパレータによって生み出された空間への汚れおよびほこりの進入を防止することができる。
【０００８】
セパレータがケース１０の内側に位置する表面１２の所望の部位の複数のリブまたはリッジ２４から形成される本発明の第２の実施形態について、図３は斜視図であり、図４は平面図である。ウォーターマークの除去における有効性に関する限りにおいて、セパレータは、機器の表面とケースの取り付け面との間にわずかな空間またはすき間を生み出すのであれば、有効であり得る。複数のリブ２４に加え、所望に応じて、別の１つ以上のセパレータをケースの任意の他の内面部分に形成して、ケースと機器との間の空間を閉じ、空間への汚れおよびほこりの進入を防止することができる。図５〜図８が、第２の実施形態の端部の図である。
【０００９】
図９は、本発明の第３の実施形態の平面図である。図１０は、この第３の実施形態の平面図である。本発明において、セパレータは、機器の背面に面するケース１０の内面１２の全体に形成された多数のマイクロドット２８の形態であってよい。ドット２８の数およびサイズは、さまざまであってよく、ドット２８は、ケースの内面と対向する機器の表面との間に最小限の空間を生じさせる限りにおいて、均一に配置されても、無作為に配置されてもよい。ケースの最大の透過度および透明度を維持するために、ドット２８のサイズをできるだけ小さくすることが好ましい。複数のドット２８に加え、所望に応じて、１つ以上のセパレータをケースの任意の他の内面部分に形成して、ケースと機器との間の空間を閉じ、空間への汚れおよびほこりの進入を防止することができる。
【００１０】
図１１〜図１４は、第３の実施形態の端部のさまざまな図である。
【００１１】
本発明の第４の実施形態について、図１５は斜視図であり、図１６は平面図である。本発明において、セパレータは、ケース１０の内面１２の選択された部分に形成された複数のドット２８の形態であってよい。それらは、或る線または或るパターンにて位置でき、あるいは任意の他の構成にて位置することができる。ドット２８の数およびサイズは、さまざまであってよく、ドット２８は、ケース１０の内面１２と対向する機器の表面との間にウォーターマークの問題の解決および除去に有効な最小限の空間を生じさせる限りにおいて、均一に配置されても、無作為に配置されてもよい。ケースの最大の透過度および透明度を維持するために、ドットを最小のサイズにて形成することが好ましい。複数のドット２８に加え、所望に応じて、１つ以上のセパレータをケースの任意の他の内面部分に形成して、ケースと機器との間の空間を閉じ、空間への汚れおよびほこりの進入を防止することができる。
【００１２】
セパレータを作成するいくつかのやり方が存在し、セパレータがリッジであるか、リブであるか、あるいはマイクロドットであるかは問題でない。これは、第一には、リッジまたはリブをケース自体の一体の一部分にすることである。典型的には、ケースは、ポリカーボネートまたはアクリルなどの実質的に中実なプラスチックで製作される。リッジが実際にケース自体の一体の一部分になり、ケースの他の部分と同じ材料から作られるように、ケースの製作時に、リッジまたはリブセパレータをケースの金型に取り入れることが好ましい。
【００１３】
あるいは、材料は、実際のケース材料とは違ってもよい。例えば、リブまたはリッジセパレータを、熱可塑性ウレタンまたはＴＰＵ、あるいは任意の他の柔らかい材料など、わずかに柔らかい何かで製作することができる。異なる材料が使用される場合、その材料はケースの一部になるが、製造方法は異なる。これは、追加の時間および追加の異なる材料を要するため、よりコストがかかる。しかしながら、柔らかい材料は、衝撃吸収部として機能し、落下時に機器を保護することができる。
【００１４】
最後に、多数のマイクロドットの形態のセパレータの最小高さは、おおむね２μ〜５μの間であってよい。この構成において、ケースの表面の大部分をマイクロドットで覆うと、２ミクロンにおいてウォーターマークは少ししか存在しない。３ミクロンにおいては、わずかなウォーターマークが存在し、４ミクロンでは、ウォーターマークがほとんど存在せず、５ミクロンでは、ウォーターマークが完全に消える。ドットがケースの中央および外側に並ぶ代案の実施形態におけるドットなど、最小限のドットが存在する場合、マイクロドットが０．１ｍｍである場合に限ってウォーターマークが依然として存在する。０．２ｍｍでは、ウォーターマークがほとんど存在せず、０．３ｍｍでは、ウォーターマークは存在しない。最後に、一周し、あるいは周囲を取り囲むリブまたはリッジの形態のセパレータの最小高さは、おおむね０．１５μ〜０．３５μの間であってよい。リブが少なくともこの高さにない場合、充分な分離が生み出されず、したがってウォーターマークが依然として生じることがわかっている。上述のセパレータの高さが、あくまでも推奨される高さにすぎず、機器、サイズ、材料、およびセパレータの数に応じてさまざまであってよいことに注意すべきである。セパレータの高さは、機器の種類および材料によって影響され得る。例えば、セパレータがタブレットにおいて使用される場合、ドットの数を最小限に保つためには、はるかに大きな表面積ゆえに、高さを電話機に使用される高さよりも大幅に高くしなければならない可能性がある。
【００１５】
マイクロドットを並べ、構成し、さらには配置する多数のやり方が存在する。例えば、ケースの内面全体に多数を散在させることができる。あるいは、図１５〜図２０に示されるように、ケースの内面の中央を下り、さらにおそらくは側方を下る線にて配置することができる。ケースの内面の周囲を巡って配置されても、単にケースの内面に無作為に配置されてもよい。
【００１６】
本発明の特徴および実施形態は、きわめて多数かつ多様であり、本明細書における詳細な説明および特許請求の範囲を超えて広がる。例えば、ケースならびにリッジまたはセパレータに使用することができる多数の他の材料が存在する。材料が機器とケースとの間の分離を生み出すことが重要である。
【００１７】
他の実施形態も、特許請求の範囲に記載される本発明の技術的範囲に含まれると考えられることを、明確に理解されたい。例えば、このケースは、電話機だけでなく、タブレット、コンピュータ、ファブレット、および種々の他の電子ポータブル機器など、さまざまな機器において使用可能であり、使用されると考えられる。機器に制限はない。
【００１８】
さらに、実施形態の構成要素の構成および組み合わせは、図示および説明した仕様から離れてもよい。したがって、本発明の技術的範囲は、本明細書において例示および指定した特定の実施形態を超えて、電話機のケースおよび電子機器のケースの中でのさまざまな置換および集合を含む。
【００１９】
したがって、図面に示されておらず、あるいは本明細書に記載されていない他の実施形態も、特許請求の範囲に記載される本発明の技術的範囲に含まれるとみなされると考えられる。したがって、図示および説明されたケースの構成要素の具体的には示されていない構成および組み合わせが、本明細書で指定された構成および組み合わせから枝分かれし得る。したがって、本発明の技術的範囲は、上述した実施形態および特許請求の範囲に記載される要素のあらゆる同等の構成または組み合わせを含む。
【図１】
2020515203.tif 000003
【図２】
2020515203.tif 000004
【図３】
2020515203.tif 000005
【図４】
2020515203.tif 000006
【図５】
2020515203.tif 000007
【図６】
2020515203.tif 000008
【図７】
2020515203.tif 000009
【図８】
2020515203.tif 000010
【図９】
2020515203.tif 000011
【図１０】
2020515203.tif 000012
【図１１】
2020515203.tif 000013
【図１２】
2020515203.tif 000014
【図１３】
2020515203.tif 000015
【図１４】
2020515203.tif 000016
【図１５】
2020515203.tif 000017
【図１６】
2020515203.tif 000018
【図１７】
2020515203.tif 000019
【図１８】
2020515203.tif 000020
【図１９】
2020515203.tif 000021
【図２０】
2020515203.tif 000022
【国際調査報告】
2020515203.tif 000023
2020515203.tif 000024